(57)【要約】【課題】すでに接地線を保護する合成樹脂管が取り付けられた種々の電柱に、後から、簡単に取り付けをすることができ、かつ、電柱の根元付近の接地線を野焼きや草刈りの刃から十分に保護することができる接地線保護具を提供すること。【解決手段】接地線保護具１０は、接地線保護部１２と蓋部１４とを備える。接地線保護部１２と蓋部１４とは、いずれも、ゴム製の防護管と同じような衝撃吸収材料で形成されている。接地線保護部１２と蓋部１４とは、取り外し可能に組み付けられており、接地線保護部１２と蓋部１４とが組み付けられた接地線保護具１０は、上下方向Ｆ（接地線Ｅの伸びる方向と同一）に延びる、横断面がＵ字のほぼ同一の形状を有する。【選択図】図１
2011254635.tif 000002
【特許請求の範囲】
【請求項１】
電柱の上部に設置された電気機器と地中に埋設された接地極との間を電気的に接続しかつ前記電柱の表面に前記電柱の軸方向に沿って固定された合成樹脂管の内部に配置された接地線において前記電柱の反対側に配置される接地線保護具において、
地中に埋設される埋設部と前記埋設部に隣接し地上に露出される露出部とを有する接地線保護部であって、前記埋設部と前記露出部とにわたり前記接地線の伸びる方向に前記接地線保護部の両端部まで形成され、前記合成樹脂管の外径より大きい幅の溝部と、前記露出部の前記溝部うち前記埋設部と反対側の端部から所定の範囲の端部側溝部と前記溝部の反対側の側面とを通じるように形成されたスリットと、を有する接地線保護部と、
前記スリットに取り外し可能に組み付けられた蓋部と、を備える、接地線保護具。
【請求項２】
前記接地線保護部及び前記蓋部は、いずれも、衝撃吸収体で形成されている請求項１に記載の接地線保護具。
【請求項３】
前記蓋部は、前記合成樹脂管の外径よりも厚い、請求項１又は２に記載の接地線保護具。
【請求項４】
前記接地線保護部及び前記蓋部の表面は、いずれも、前記電柱とは異なる色で形成されている、請求項１から３のいずれかに記載の接地線保護具。
【発明の詳細な説明】
【技術分野】
【０００１】
本発明は、電柱に設置された変圧器等の機器を接地するための接地線を保護する接地線保護具に関する。
【背景技術】
【０００２】
電柱に変圧器や避雷器等の電気機器を設置する場合には、その電気機器が設置される箇所に応じて、電気機器と地中に埋設された接地極との間を電気的に接続する接地工事を行うことが義務付けられている。この接地工事は電気設備技術基準及び内線規定に従って行われる。
【０００３】
接地工事とは、地中に埋設した接地極と電柱に設置されている変圧器等の電気機器、避雷器、その他接地を必要とする電気機器との間を接地線によって接続する工事である。接地線が電柱の外側にある場合には、接地線を電柱に密着させて帯状の固定部材を接地線とともに電柱に巻いて、締め付けることによって、接地線を電柱に固定させる工事が行われる。
【０００４】
従来、この種の技術としては特許文献１に記載されている技術がある。この特許文献１には、コンクリート電柱の接地極及び接地方法の記載がある。特許文献１は、電柱に架線されたグランド線と地中の接地極とを接地線によって接続した点、及び接地線を電柱に敷設した点を開示している。
【０００５】
ところで、地上から２．０ｍより低い範囲にある接地線は、自動車又は自転車等の通行車両及び通行人に接触することにより、接地線が破損されてしまうことがある。そのため、地上から少なくとも２．０ｍのまでの範囲の接地線を、保護部材によって覆い、保護することが規定されている。
【０００６】
この保護部材は、我が国の法律等により、所定の絶縁性を有する材料を用いなければならないとされているので、所定の絶縁性を有するとともに加工が容易なものとして合成樹脂で形成された合成樹脂管が用いられている。
【先行技術文献】
【特許文献】
【０００７】
【特許文献１】特開平１１−１８２５９号公報
【特許文献２】実開平６−４１３３２号公報
【発明の概要】
【発明が解決しようとする課題】
【０００８】
しかし、合成樹脂管は合成樹脂で形成されているので、合成樹脂管の強度は、金属で形成した管の強度と同じ強度を得ることができない。このため、強い外力が合成樹脂管に加わると、合成樹脂管がその外力によって、破壊され、ひいては、合成樹脂管の内部に設けられている接地線が断線してしまうことがある。
【０００９】
例えば、草を刈る作業者が、回転刃が回転するタイプの草刈機を用いて、電柱の根本の周囲に生えている草を刈ると、草刈機の回転刃が合成樹脂管に接触して、これが破壊されてしまう場合や、接地線が回転刃によって切断されてしまう場合がある。
【００１０】
そこで、特許文献２に記載された合成樹脂製設置保護用モールの技術を適用することも考えられる。しかし、特許文献２に記載の技術では、接地線を保護する合成樹脂管と、その合成樹脂管を保護する合成樹脂製設置保護用モールとを同時に電柱に取り付けなければならないので、すでに、電柱に接地線を保護する合成樹脂管のみが取り付けられている場合には、用いることができない。
【００１１】
本発明は、このような問題点を解決するためになされるものであり、すでに接地線を保護する合成樹脂管が取り付けられた種々の電柱に、後から、簡単に取り付けをすることができ、かつ、電柱の根元付近の接地線を野焼きや草刈りの刃から十分に保護することができる接地線保護具を提供することを目的とする。
【課題を解決するための手段】
【００１２】
本発明に係る接地線保護具は、電柱の上部に設置された電気機器と地中に埋設された接地極との間を電気的に接続しかつ前記電柱の表面に前記電柱の軸方向に沿って固定された合成樹脂管の内部に配置された接地線において前記電柱の反対側に配置される接地線保護具である。接地線保護具は、接地線保護部と蓋部とを備える。接地線保護部は、地中に埋設される埋設部と前記埋設部に隣接し地上に露出される露出部とを有する。接地線保護部は、前記埋設部と前記露出部とにわたり前記接地線の伸びる方向に前記接地線保護部の両端部まで形成され、前記合成樹脂管の外径より大きい幅の溝部と、前記露出部の前記溝部うち前記埋設部と反対側の端部から所定の範囲の端部側溝部と前記溝部と反対側の側面とを通じるように形成されたスリットと、を有する。蓋部は、前記スリットに取り外し可能に組み付けられている。
【００１３】
前記接地線保護部及び前記蓋部は、いずれも、衝撃吸収体で形成されていてもよい。
【００１４】
前記蓋部は、前記合成樹脂管の外径よりも厚いことが好ましい。
【００１５】
前記接地線保護部及び前記蓋部の表面は、いずれも、前記電柱とは異なる色で形成されていることが好ましい。
【発明の効果】
【００１６】
本発明によれば、接地線保護部には、埋設部と露出部とにわたり接地線の伸びる方向に接地線保護部の両端部まで形成されたスリットを有する。さらに、そのスリットは、既設の合成樹脂管の外径より大きい幅の溝部が形成されているので、接地線保護具は、合成樹脂管を包み込むようにして電柱に設置することができる。
【００１７】
さらに、接地線保護具は、取り外し可能な蓋部を有するので、接地線の点検をするときは、その蓋部のみを取り外すだけでよい。
【００１８】
また、接地線保護部及び蓋部は、いずれも、衝撃吸収体で形成されているので、草刈機の回転刃の回転時の接触の時に生じる衝撃を吸収し、回転刃が合成樹脂管に到達するのを防ぐ。特に、蓋部は、接地線の外径よりも厚いと、より堅固に回転刃が合成樹脂管に到達するのを防ぐ。
【００１９】
また、接地線保護部及び蓋部の表面は、いずれも、電柱とは異なる色で形成されているので、草を刈る作業者は、接地線保護具の存在を十分に認識するので、芝刈機の回転刃を接地線保護具に接触させないように、芝刈り作業を行う。
【図面の簡単な説明】
【００２０】
【図１】本発明に係る第１の実施形態の接地線保護具を示す一部を省略した斜視図である。
【図２】図１に示した接地線保護具を電柱に取り付ける各種部材の位置関係を示す説明図である。
【図３】図２に示した接地線保護具の部分断面拡大図である。
【図４】図１に示した接地線保護具の設置を行う作業状態を示す説明図である。
【発明を実施するための形態】
【００２１】
以下、本発明の実施形態について図面を参照しながら説明する。
【００２２】
＜接地線保護具＞
図１から図３を参照するに、接地線保護具１０は、接地線保護部１２と蓋部１４とを備える。接地線保護部１２と蓋部１４とは、いずれも、ゴム製の防護管と同じような衝撃吸収材料で形成されている。したがって、接地線保護部１２及び蓋部１４は、いずれも、衝撃吸収体を構成する。
【００２３】
接地線保護部１２と蓋部１４とは、後述するように、取り外し可能に組み付けられており、接地線保護部１２と蓋部１４とが組み付けられた接地線保護具１０は、図１において、上下方向Ｆ（接地線Ｅの伸びる方向と同一）に延びる、横断面がＵ字のほぼ同一の形状を有する。
【００２４】
接地線保護部１２は、地中Ｇに埋設される埋設部１６と埋設部１６に隣接し地上に露出される露出部１８とを有する。
【００２５】
接地線保護部１２は、溝部２０とスリット２２とを有する。溝部２０は、埋設部１６と露出部１８と上下方向Ｆにわたりに接地線保護部１２の両端部２４、２６まで形成されている。溝部２０の幅Ｗは、合成樹脂管２８の外径より大きくなるように構成されている。
【００２６】
スリット２２は、露出部１８の溝部２０うち埋設部１６と反対側の端部２６から所定の範囲の端部側溝部３０と溝部２０の反対側の側面３１とを通じるように形成されている。
【００２７】
スリット２２の両側面には、それぞれ、上下方向Ｆに延び、その内側に向けた凸条部３２及び３２が形成されている。
【００２８】
蓋部１４は、横断面が扇形の形状を有する。蓋部１４の両側面には、上下方向Ｆに延び、その内側に向けた凹条部３４が形成されている。凸条部３２と凹条部３４とは互いに習動可能に噛み合う。したがって、接地線保護部１２に噛み合った蓋部１４は、上下方向Ｆに摺動可能であるが、上下方向Ｆに直角の方向には、ほとんど動かない構造を有する。
【００２９】
接地線保護部１２及び蓋部１４の表面は、いずれも、電柱３６の表面Ｓとは異なる色（例えば、一般に注意を喚起する黄色）で形成されている。
【００３０】
接地線保護部１２の両側面には、後述するステンレスバンド３８を通す為の複数の止め穴４０が形成されている。
【００３１】
＜電柱＞
図２に示すように、電柱３６は、電柱３６の伸びる方向が地面Ｇに対して略直角になるように、電柱３６の一端部が埋設されている。電柱３６の他端部すなわち電柱３６の上部には、トランスのような電気機器４２が取り付けられている。
【００３２】
電柱３６の表面Ｓには、接地線Ｅがこれの伸びる方向と電柱３６の伸びる方向とが平行になるように、配置されている。接地線Ｅは合成樹脂管２８の内部に通されており、合成樹脂管２８の外部と接地線Ｅとの間の電気的な接続を防止している。したがって、接地線Ｅの一端と他端との間は、電気的に絶縁状態で電柱３６の表面Ｓに取り付けられている。
【００３３】
地面Ｇから電気機器４２に向かって（上方に向かって）２．０ｍの位置より高い範囲における接地線Ｅは、電柱３６の表面Ｓに、帯状の複数のステンレスバンド３８によって合成樹脂管２８を介して固定されている。
【００３４】
地面Ｇから地上２．０ｍの位置と地面Ｇから地下０．７５ｍの位置との間の範囲Ｌにおける接地線Ｅは、合成樹脂管２８の内部に配置されている。なお、我が国は、範囲Ｌ内にある接地線Ｅを合成樹脂管２８によって保護することが規定されている。合成樹脂管２８はステンレスバンド３８によって電柱３６の表面Ｓに固定されている。
【００３５】
接地線Ｅの一端は電気機器４２の金属ケース、避雷器、その他接地を必要とする部材に電気的に接続されている。接地線Ｅの他端は地中に埋設された接地極４６に電気的に接続されている。接地線Ｅにおける一端と合成樹脂管２８の上端との間における所定の位置に柱体外接地測定端子４８が設置されている。
【００３６】
＜接地線保護具の取り付け状態＞
図３及び図４に示すように、接地線保護具１０は、埋設部１６が地面Ｇに埋設され、かつ、露出部１８が地面Ｇから露出された状態になるように、電柱３６の表面Ｓに配置されている。埋設部１６の長さ寸法は、例えば、２０ｃｍ程度に設定される。
【００３７】
さらに、接地線保護具１０は、接地線Ｅを接地線保護具１０と電柱３６との間に配置した状態で、ステンレスバンド３８によって電柱３６に取り付けられている。ステンレスバンド３８は、例えば、地面Ｇから１０ｃｍの位置に取り付けられる。これにより、図２及び図３に示すように、接地線保護具１０は、電柱３６の表面Ｓに電柱３６の軸方向に沿って固定された接地線Ｅにおいて電柱３６の反対側に配置される。これにより、接地線保護具１０の背面５０が電柱３６の表面Ｓに当接させるとともに、溝部２０と電柱３６の表面Ｓとにより形成される空間に合成樹脂管２８ひいては接地線Ｅが配置されている。
【００３８】
＜接地線保護具の取り付け方＞
図３及び図４に示すように、以下の手順で、接地線保護具１０を電柱３６に取り付ける。
【００３９】
まず、作業者Ｘは、電柱３６の根元における合成樹脂管２８付近の土を掘り、埋設されていた合成樹脂管２８を露出させ、合成樹脂管２８及び接地線Ｅに破損や傷がないこと及び合成樹脂管２８を電柱３６に固定しているステンレスバンド３８の取り付け位置を目視により確認する。
【００４０】
次に、作業者Ｘは、接地線保護具１０の背面５０を電柱３６の表面Ｓに当接させた状態を維持しながら、かつ、溝部２０に合成樹脂管２８を配置させた状態を維持する。そのような状態を維持しながら、作業者Ｘは、接地線保護具１０の埋設部１６の先端を地中に差し込んで仮固定をする。
【００４１】
次に、図３に示すように、作業者Ｘは、露出部１８に帯状の複数のステンレスバンド３８を電柱３６に巻き付けて、さらに、ステンレスバンド３８を止め穴４０に通して、接地線保護具１０を電柱３６に固定する。そして、作業者Ｘは、掘り出された土で埋設部１６を埋める。
【００４２】
このように、接地線保護具１０を電柱３６に取り付けることにより、電柱３６の根元付近の合成樹脂管２８が保護され、例えば、接地線保護具１０に草刈機の回転刃が接触したとしても、合成樹脂管２８ひいては接地線Ｅに損傷を与えることを防止することができる。
【００４３】
＜接地線の点検の仕方＞
接地線保護具１０の蓋部１４は、ステンレスバンド３８によっては、固定されていないので、作業者Ｘは、蓋部１４を上方向にスライドさせるだけで、接地線保護具１０に覆われていた合成樹脂管２８や柱体外接地測定端子４８が露出する。
【００４４】
そして、作業者Ｘは、柱体外接地測定端子４８で所定の点検を行い、点検終了後、再び、蓋部１４で蓋をする。
【００４５】
このように、接地線保護具１０は、合成樹脂管２８を包み込むようにして電柱３６に設置することができ、かつ、蓋部１４をスライドさせるだけで、簡単に、点検に必要な柱体外接地測定端子４８を露出させることができる。
【符号の説明】
【００４６】
Ｅ  接地線
Ｆ  上下方向
Ｇ  地面
Ｓ  電柱の表面
１０  接地線保護具
１２  接地線保護部
１４  蓋部
１６  埋設部
１８  露出部
２０  溝部
２２  スリット
２４  端部
２６  端部
２８  合成樹脂管
３０  端部側溝部
３１  側面
３２  凸条部
３４  凹条部
３６  電柱
３８  ステンレスバンド
４０  止め穴
４２  電気機器
４６  接地極
４８  柱体外接地測定端子
【図１】
2011254635.tif 000003
【図２】
2011254635.tif 000004
【図３】
2011254635.tif 000005
【図４】
2011254635.tif 000006